(57)【要約】【課題】ストラップの多くが装飾手紐の機能しかないために、携帯電話機は衣服のポケットや鞄に放置され、使用する時に直に見つからなかったり、着信に気付かず機会を逃したり、周囲に迷惑をかけたりする等の問題があった。【解決手段】携帯電話機１の外部接続端子２に着脱自在に装着するコネクタ３と、該コネクタ３から携帯電話機１に当接する当接部４に渡って携帯電話機１との間に係着空間５を備える係着手段とから成る携帯電話機係着ホルダーを構成することにより、携帯電話機１を腕や物に頑強に且つコンパクトに係着する。【選択図】  図１
2004350254.tif 000002
【特許請求の範囲】
【請求項１】
携帯電話機を人や物に係着するためのホルダーであって、携帯電話機に既存の外部接続端子の少なくとも一部に着脱自在に装着するコネクタと、該コネクタから携帯電話機に当接する当接部に渡って携帯電話機との間に係着空間を備える係着手段とから構成することを特徴とする携帯電話機係着ホルダー。
【請求項２】
前記コネクタは、携帯電話機充電用のコネクタと同様に、外部接続端子の凹凸形状の少なくとも一部に倣った形状の嵌合部と、弾性支持されて押圧部の押圧開閉により出入りするストッパーとを所定の位置に備え、前記嵌合部およびストッパーの外部接続端子への嵌入により携帯電話機に装着可能に構成することを特徴とする請求項１に記載の携帯電話機係着ホルダー。
【請求項３】
前記係着手段は、帯状のバンド部と、該バンド部の前記コネクタと反対側の一端に設けられる前記当接部の少なくとも一部を、弾性部材で形成する、または分割して軸着すると共に弾性体により弾性支持することにより、前記当接部が携帯電話機の一部に緊縮力を与えるように構成することを特徴とする請求項１または請求項２に記載の携帯電話機係着ホルダー。
【請求項４】
前記係着手段は、帯状のバンド部と、該バンド部の前記コネクタと反対側の一端に設けられる前記当接部の少なくとも一部を、分割して軸着すると共に弾性部材で形成し、前記当接部が携帯電話機の一部を把持するように構成することを特徴とする請求項１または請求項２に記載の携帯電話機係着ホルダー。
【請求項５】
前記係着手段は、帯状のバンド部を柔軟性部材で形成すると共に、該バンド部のコネクタと反対側の一端に設けられる前記当接部の少なくとも一部が、面ファスナーにより前記バンド部と携帯電話機間もしくはバンド部同士間を係止する、または紐状部材を携帯電話機に既存のストラップ接続部に係止して構成することを特徴とする請求項１または請求項２に記載の携帯電話機係着ホルダー。
【請求項６】
前記帯状のバンド部に表示装置を設けると共に、前記外部接続端子から前記表示装置の表示用電源、または携帯電話機内の表示情報の少なくともどちらかが表示装置に供給されるように、前記コネクタと表示装置間に電気配線、または制御用ＩＣチップの少なくともどちらかを設けて構成することを特徴とする請求項１から請求項５のいずれかに記載の携帯電話機係着ホルダー。
【請求項７】
前記帯状のバンド部は、前記コネクタに対し、携帯電話機の上下方向の回動軸を中心に回動自在に軸着して構成することを特徴とする請求項３から請求項６のいずれかに記載の携帯電話機係着ホルダー。
【請求項８】
前記帯状のバンド部と当接部は、材料に合成樹脂、ゴム、金属、木、または繊維材料のいずれかを用いて、シート状、線状、格子状のいずれかの部材を立体形成して構成することを特徴とする請求項３から請求項７のいずれかに記載の携帯電話機係着ホルダー。
【発明の詳細な説明】
【０００１】
【発明の属する技術分野】本発明は、携帯電話機を人や物に係着するためのホルダーに関するものである。
【０００２】
【従来の技術】従来より、携帯電話機は小型化、多機能化が進み、リスト係着型の携帯電話機も実用化され出しているが、カメラ付き折り畳み式携帯電話機が主流になっている。主流の携帯電話機の携帯は、ストラップと言われる吊るし紐を携帯電話機に係止しながらも、衣服のポケットや鞄に入れて行なわれることが多い。また、携帯電話機の下端に大きく開口する外部接続端子は、主用途が充電のため、携帯時に殆んど使用しないにも関わらず、付属のカバーにより被覆しないまま放置されることが多い。
【０００３】先行技術文献情報としては、弾力性のある保持環からなるホルダーにより携帯電話機を腕用のベルトに取り付ける、携帯電話機ホルダー機能を備えたブレスレットが提案されている（特許文献１参照。）。
次に、重合する伸縮性ゴム帯間に形成される保持部により携帯電話機を腕に取り付ける、携帯電話機の保持バンドが提案されている（特許文献２参照。）。
また、口部リングを備えた伸縮性編組物からなるポケットにより携帯電話機をアームバンドに取り付ける、携帯電話機収納用伸縮性アームバンドが提案されている（例えば、特許文献３参照。）。
【０００４】
【特許文献１】特開２００３−７９４０８号公報
【特許文献２】登録実用新案第３０７４４２７号公報
【特許文献３】登録実用新案第３０７３２８４号公報
【０００５】
【発明が解決しようとする課題】上記の従来技術に伴ない、主流の携帯電話機の携帯には、次のような問題があった。
（イ）ストラップの多くが装飾手紐の機能しかないため、携帯電話機が衣服のポケットや鞄に放置される。
（ロ）携帯電話機を落としたり、紛失したりすることが多い。
（ハ）衣服のポケットや鞄に放置された携帯電話機を使用する度に、手探りで携帯電話機の在り処を捜すのに時間がかかる。
（ニ）着信に気付かず、機会を逃したり、周囲に迷惑をかけたりする。
（ホ）下端に大きく開口する外部接続端子は、カバー被覆しないことが多いため、変形や端子金属の酸化等により機能低下し易い。
（ヘ）下端に大きく開口する外部接続端子は、携帯時に使用しないことが多いため、活用しないと無駄である。
（ト）特許文献１から特許文献３の前記公報による腕用のブレスレット（またはバンド）は、携帯電話機と一体感が無く嵩張るために使用にわずらわしさがある上、ホルダー（または保持部、もしくはポケット）から携帯電話機が外れ易い。
本発明は、上記の問題を解決する携帯電話機係着ホルダーを安価に作成するためになされたものである。
【０００６】
【課題を解決するための手段】請求項１記載の発明に係る携帯電話機係着ホルダーは、携帯電話機を人や物に係着するためのホルダーであって、携帯電話機に既存の外部接続端子の少なくとも一部に着脱自在に装着するコネクタと、該コネクタから携帯電話機に当接する当接部に渡って携帯電話機との間に係着空間を備える係着手段とから構成するものである。
【０００７】このような請求項１記載の発明によれば、外部接続端子に装着したコネクタを支点にして様々な係着手段が構成可能になる。よって、携帯電話機を人や物に頑強に且つコンパクトに係着可能なホルダーを容易に作成することが出来る。また、外部接続端子を活用すると共にコネクタで被覆することにより、外部接続端子の機能低下を抑制することが出来る。
【０００８】請求項２記載の発明に係る携帯電話機係着ホルダーは、前記コネクタが、携帯電話機充電用のコネクタと同様に、外部接続端子の凹凸形状の少なくとも一部に倣った形状の嵌合部と、弾性支持されて押圧部の押圧開閉により出入りするストッパーとを所定の位置に備える。そして、前記嵌合部およびストッパーが外部接続端子の所定の位置に嵌入することにより、前記コネクタが携帯電話機に装着可能に構成されるものである。
【０００９】このような請求項２記載の発明によれば、前記コネクタを、携帯電話機充電用のコネクタと同様に、外部接続端子に嵌入すると、前記ストッパーが節度感をもって外部接続端子内の所定の溝に突出してロックする。また、コネクタを外す場合は、押圧部を押圧することによりストッパーが沈降してロック解除される。よって、外部接続端子に確実に頑強な装着を可能にする上、着脱自在でコンパクトな前記コネクタを現実的に容易に作成することが出来る。
【００１０】請求項３記載の発明に係る携帯電話機係着ホルダーは、前記係着手段が、帯状のバンド部と、該バンド部の前記コネクタと反対側の一端に設けられる前記当接部の少なくとも一部を、弾性部材で形成する、または分割して軸着すると共に弾性体により弾性支持することにより、前記当接部が携帯電話機の一部に緊縮力を与えるように構成されるものである。
【００１１】このような請求項３記載の発明によれば、特に折り畳み式携帯電話機において、折り畳み式携帯電話機の２辺と前記バンド部が、略三角形状の係着空間を構成し、前記当接部が携帯電話機の１辺に緊縮力を与えることが出来る。よって、前記係着空間に腕や物を容易に着脱し、携帯電話機をコンパクトに係着することが出来る。
【００１２】請求項４記載の発明に係る携帯電話機係着ホルダーは、前記係着手段が、帯状のバンド部と、該バンド部の前記コネクタと反対側の一端に設けられる前記当接部の少なくとも一部を、分割して軸着すると共に弾性部材で形成し、前記当接部が携帯電話機の一部を把持するように構成されるものである。
【００１３】このような請求項４記載の発明によれば、あらゆる携帯電話機の任意の側面と前記バンド部が係着空間を構成し、前記当接部が携帯電話機の一部を弾性把持することが出来る。よって、携帯電話機の背面等の任意に設計した前記係着空間に腕や物を容易に着脱し、コンパクトに係着することが出来る。
【００１４】請求項５記載の発明に係る携帯電話機係着ホルダーは、前記係着手段が、帯状のバンド部を柔軟性部材で形成すると共に、該バンド部のコネクタと反対側の一端に設けられる前記当接部の少なくとも一部が、面ファスナーにより前記バンド部と携帯電話機間もしくはバンド部同士間を係止する、または紐状部材を携帯電話機に既存のストラップ接続部に係止して構成されるものである。
【００１５】このような請求項５記載の発明によれば、あらゆる携帯電話機の任意の側面と前記バンド部が柔軟性のある係着空間を構成することが出来る。よって、携帯電話機の背面や折り畳み式携帯電話機の２辺間等の任意の係着空間に、腕や物を容易に着脱し、軽量でコンパクトに係着することが出来る。
【００１６】請求項６記載の発明に係る携帯電話機係着ホルダーは、前記帯状のバンド部に表示装置を設けると共に、前記外部接続端子から前記表示装置の表示用電源、または携帯電話機内の表示情報の少なくともどちらかが表示装置に供給されるように、前記コネクタと表示装置間に電気配線、または制御用ＩＣチップの少なくともどちらかを設けて構成するものである。
【００１７】このような請求項６記載の発明によれば、本携帯電話機係着ホルダーの表面積と視認性の高さ、および外部接続端子を活かして、前記バンド部に表示装置を構成出来るため、携帯時に見たい画像を表示することが出来る。
【００１８】請求項７記載の発明に係る携帯電話機係着ホルダーは、前記帯状のバンド部が、前記コネクタに対し、携帯電話機の上下方向の回動軸を中心に回動自在に軸着して構成されるものである。
【００１９】このような請求項７記載の発明によれば、バンド部と当接部を携帯電話機の周囲に回動可能なため、ホルダーに携帯電話機の両面係着、握持グリップ、スタンド、集音、回転ストラップ等の機能を付加することが出来る。
【００２０】請求項８記載の発明に係る携帯電話機係着ホルダーは、前記帯状のバンド部と当接部が、材料に合成樹脂、ゴム、金属、木、または繊維材料のいずれかを用いて、シート状、線状、格子状のいずれかの部材を立体形成して構成されるものである。
【００２１】このような請求項８記載の発明によれば、以上の構成と作用を満たす携帯電話機係着ホルダーを、様々なデザインで現実的に安価に作成することが出来る。
【００２２】
【発明の実施の形態】以下、本発明の実施の形態について説明する。
（実施の形態１）図１は本発明の実施の形態１による携帯電話機係着ホルダーの例を示す図である。図１（ａ）は正面図、図１（ｂ）は図１（ａ）の左側面図、図１（ｃ）と図１（ｄ）は図１（ａ）の使用例説明図を示す。尚、本携帯電話機係着ホルダー以外の物は２点鎖線で図示する。
【００２３】先ず、図１に示すように、実施の形態１の携帯電話機係着ホルダーは、携帯電話機１に既存の外部接続端子２の少なくとも一部に着脱自在に装着するコネクタ３と、該コネクタ３から携帯電話機１に当接する当接部４に渡って携帯電話機１との間に係着空間５を備える係着手段とから構成する。
【００２４】次に、前記コネクタ３は、携帯電話機１充電用のコネクタと同様に、外部接続端子２の凹凸形状を簡略的に倣った形状の嵌合部３１と、該嵌合部３１の左右に弾性支持されて押圧部３２の押圧開閉により出入りするストッパーとを所定の位置に備える。ここで、ストッパーは、押圧部３２の押圧、押圧開放に連動してコネクタ３の左右に沈降、突出する突起部３３から成り、嵌合部３１が外部接続端子２に嵌入すると共に、突起部３３が外部接続端子２の溝に嵌入するように構成される。更に、前記コネクタ３の左右幅は携帯電話機１の３分の２程度で、押圧部３２において最大となる。
【００２５】また、前記係着手段は、バンド部６と、該バンド部６の前記コネクタ３と反対側の一端に設けられる前記当接部４とから形成される。ここで、前記当接部４は、折り畳み式携帯電話機１において、外部接続端子２側の１辺である下分割部１１が折り畳み時に対向する１辺である上分割部１２の背面１３に当接する。
【００２６】そして、前記当接部４が携帯電話機を折り畳む向きの緊縮力４１を上分割部１２の背面１３から与えるように、前記バンド部６と当接部４をシート状の弾性部材で構成する。ここで、前記バンド部６の弾性部材は自然形状が略Ｃ字状の樹脂製板ばねを用い、前記バンド部６から当接部４の長さは、前記下分割部１１と上分割部１２の２辺間挟角が４５度程度まで当接部４が前記背面１３の上端（先端）寄りに当接可能なようにする。
【００２７】更に、前記バンド部６は、前記コネクタ３から該コネクタ３と同程度の左右幅で前記当接部４に向かい、当接部４においては略Ｔ字状に左右幅を拡張すると共に、前記上分割部１２の左右を挟持するように略Ｔ字状の左右に屈曲部４２を形成する。
【００２８】更に、前記バンド部６を前記コネクタ３の下端に、携帯電話機１の上下方向の回動軸６１を中心に回動自在に軸着する。
【００２９】また、前記バンド部７と当接部４は、材料に合成樹脂、またはグラスファイバーを用いる。
【００３０】（実施の形態１の作用）先ず、図１に示すように、前記コネクタ３を、携帯電話機１充電用のコネクタと同様に、外部接続端子２に嵌入すると、前記ストッパーの突起部３３が節度感をもって外部接続端子２の溝に突出してロックする。また、コネクタ３を外す場合は、押圧部３２を押圧することにより、ストッパーの突起部３３が沈降してロック解除される。よって、外部接続端子２に確実に頑強な装着を可能にする上、着脱自在でコンパクトな前記コネクタ３を現実的に容易に作成することが出来る。
【００３１】更に、折り畳み式携帯電話機１の２辺である下分割部１１と上分割部１２および前記バンド部６が、略三角形状の係着空間５を構成し、前記当接部４が携帯電話機１の前記２辺を折り畳む向きに適当な大きさの緊縮力４１を与えることが出来る。よって、携帯電話機１の２辺間挟角が０度〜４５度の広範囲に渡って、前記係着空間５にセットした腕や物（鞄、バッグの取っ手等）５１に携帯電話機１をコンパクトに一体感のある係着をすることが出来る。ここで、係着は、前記コネクタ３を外部接続端子２に装着して前記当接部４を前記背面１３に当接したまま、携帯電話機１の２辺間挟角を４５度程度まで広げて２辺間に腕や物を介在させるか、前記コネクタ３を外部接続端子２に装着しない状態で、当接部４が背面１３に当接するようにコネクタ３を外部接続端子２に装着することにより、容易に素早く行なうことが出来る。
【００３２】また、携帯電話機１を外す場合は、上記の係着手順を逆に行なえばよいため、係着した状態から直に携帯電話機１を開いて、素早く着信応答等の使用に対応することが出来る。
【００３３】更に、外部接続端子を活用すると共にコネクタで被覆することにより、外部接続端子の機能低下を抑制することが出来る。
【００３４】更に、携帯電話機１の背面１３の上端（先端）寄りに当接する前記当接部４が、携帯電話機１に装備される表示装置やカメラ等を覆わないため、本ホルダーで携帯電話機１を係着しても携帯電話機１の機能を損なうことがない。
【００３５】更に、略Ｔ字状のバンド部６から当接部４が、携帯電話機１によっては上分割部１２の背面上部の左右どちらかに突出するアンテナに干渉せずに、携帯電話機１形状に倣ってコンパクトなホルダーを形成することが出来る。
【００３６】更に、図１（ｃ）に示すように、バンド部６から当接部４を、前記回動軸６１上に携帯電話機１の背面側まで回すことにより、弾性変形しながら手７になじむループ状のパームグリップを形成するため、通話時等の携帯電話機１の握持に便利である。この際、数本の指７１をループ内に入れることにより携帯電話機１を保持することも出来る。
【００３７】更に、図１（ｄ）に示すように、携帯電話機１をポケット８に入れて携帯すると共に、前記バンド部６から当接部４と携帯電話機１間にポケット８のパッチ部を挟持することにより、携帯電話機１がポケット８から滑落するのを防止することが出来る。
【００３８】以上より、携帯電話機１を人や物に頑強に且つコンパクトに係着可能な携帯電話機係着ホルダーを安価に作成することが出来るため、携帯電話機１を落としたり、紛失したり、在り処を捜すのに時間をかけたり、着信に気付かず機会を逃したり、周囲に迷惑をかけたりすることが無くなる。
【００３９】（実施の形態２）図２は本発明の実施の形態２による携帯電話機係着ホルダーの例を示す図である。図２（ａ）は正面図、図２（ｂ）は図２（ａ）の左側面図、図２（ｃ）と図２（ｄ）は図２（ａ）の使用例説明図を示す。尚、本携帯電話機係着ホルダー以外の物は２点鎖線で図示する。
【００４０】以下に前記実施の形態１に対し、相違のある点について説明する。先ず、図２に示すように、実施の形態２の携帯電話機係着ホルダーは、前記係着手段を、前記当接部４が携帯電話機１を折り畳む向きの緊縮力４１を上分割部１２の背面１３から与えるように、前記コネクタ３から前記当接部４に向かって携帯電話機１と同程度の左右幅のシート状のバンド部６を分割して回転軸６２を中心に軸着すると共に弾性体６３により弾性支持して構成する。
【００４１】更に、前記バンド部６は、前記下分割部１１と上分割部１２を等辺とし、そ２辺間挟角が３０度程度の二等辺三角形の底辺を成すように形成し、回転軸６２を中心に軸着する位置を、バンド部６の前記コネクタ３と反対側の角部に設ける。この際、前記バンド部６とコネクタ３は、７５度程度の挟角を成して、バンド部６がコネクタ３の下端に垂直な回動軸６１を中心に軸着される。
【００４２】また、前記バンド部６と当接部４は、材料に合成樹脂を用いる。
【００４３】（実施の形態２の作用）以下に前記実施の形態１の作用に対し、相違のある点について説明する。先ず、図２に示すように、２つ折り式携帯電話機１の２辺である下分割部１１と上分割部１２および前記バンド部７が、三角形状の係着空間５を構成し、前記当接部４が軸着６２位置を支点に前記２辺を折り畳む向きに適当な大きさの緊縮力４１を与えることが出来る。よって、携帯電話機１の２辺間内角が０度〜４５度程度の広範囲に渡って、前記係着空間５にセットした腕や物５１に携帯電話機１をコンパクトに係着することが出来る。
【００４４】次に、図２（ｃ）に示すように、通話時等にバンド部７がパームグリップを形成し、握持に便利である上に、バンド部６から当接部４が、携帯電話機１のマイク部１４の下で集音効果を発揮するため、小声での通話が鮮明に伝わり便利である。この小声での通話は、当接部４とマイク部１４間に口９が位置するように、当接部４を回転軸６２上に手７で回動することにより、更に集音効果を発揮することが出来る。
【００４５】更に、図２（ｄ）に示すように、バンド部６から当接部４を、前記回動軸６１上に携帯電話機１の背面側まで回すことにより、折り畳まれたバンド部６に携帯電話機１が１５度程度後傾して安定姿勢を保つ、便利な携帯電話機１スタンドを構成することが出来る。
【００４６】（実施の形態３）図３は本発明の実施の形態３による携帯電話機係着ホルダーの例を示す図である。図３（ａ）は正面図、図３（ｂ）は図３（ａ）の右側面図、図３（ｃ）は図３（ａ）の使用例説明図を示す。尚、本携帯電話機係着ホルダー以外の物は２点鎖線で図示する。
【００４７】以下に前記実施の形態１に対し、相違のある点について説明する。図３に示すように、実施の形態３の携帯電話機係着ホルダーは、前記係着手段が、前記バンド部６と当接部４を線状の弾性部材を屈曲して一体形成すると共に、携帯電話機１を折り畳む蝶番部１５の軸と平行な回転軸６２を中心にして前記バンド部６を前記コネクタ３の付け根に軸着して構成される。
【００４８】更に、前記当接部４は、折り畳んだ携帯電話機１の蝶番部１５近辺を弾性把持するように、１本の線状の弾性部材を左右対称に折り合わて成る折り返し部を前後方向に略Ｊ字状に屈曲して屈曲部４２を形成し、また前記バンド部６は、下分割部１１の背面に係着空間５を設けるように前記当接部４が延長する２本の弾性部材を前後方向に凸状に屈曲して形成する。この際、前記当接部４からバンド部６の２本の弾性部材間距離は、携帯電話機１の左右幅より２０ｍｍ程度短く設定する。
【００４９】また、前記バンド部６と当接部４は、材料に合成樹脂を用いる。
【００５０】（実施の形態３の作用）以下に前記実施の形態１の作用に対し、相違のある点について説明する。先ず、図３に示すように、折り畳んだ折り畳み式携帯電話機１の蝶番部１５近辺に前記当接部４を回し込んで、略Ｊ字状の屈曲部４２を引っ掛けるようにして蝶番部１５近辺を弾性把持することが出来る。よって、前記下分割部１１の背面に設けた係着空間５にセットした腕や物５１に携帯電話機１をコンパクトに係着することが出来る。
【００５１】この際、携帯電話機１の左右端寄りに設けられる前記当接部４とバンド部７の２本の弾性部材が、携帯電話機１の左右中心上に装備される表示装置やカメラ等を覆わないため、本ホルダーで携帯電話機１を係着しても携帯電話機１の機能を損なうことがない。
【００５２】また、図３（ａ）に示すように、携帯電話機１を外す場合は、前記当接部４を引き伸ばすように弾性変形させてもよいが、前記上分割部１２を下分割部１１に対して開くだけで、前記蝶番部１５近辺の上分割部１２が前記当接部４を押し外すため、自動的に素早く外すことが出来る。
【００５３】次に、図３（ｃ）に示すように、通話時等にバンド部６がパームグリップを形成し、握持に便利である上に、バンド部６から当接部４が、前後方向には略Ｊ字状、左右方向にはループ状の線状部材を形成するため、携帯電話機１を物に掛けて吊るしたり、ストラップ代わりに使用したりすることが出来る。
【００５４】更に、折り畳み式でない携帯電話機１（初期型および最新の回転式）も、前記略Ｊ字状の屈曲部４２を掛けて弾性把持することにより、一体感のある係着をすることが出来る。
【００５５】（実施の形態４）図４は本発明の実施の形態４による携帯電話機係着ホルダーの例を示す図である。図４（ａ）は正面図、図４（ｂ）は図４（ａ）の右側面図を示す。尚、本携帯電話機係着ホルダー以外の物は２点鎖線で図示する。
【００５６】以下に前記実施の形態１に対し、相違のある点について説明する。先ず、図４に示すように、実施の形態４の携帯電話機係着ホルダーは、前記係着手段が、バンド部６をシート状の柔軟性部材で形成して、バンド部６の一端をコネクタ３の下端に連結し、他端を紐状部材４３に連結すると共に前記紐状部材４３を携帯電話機１のストラップ接続部１６に係止して構成される。ここで、前記バンド部６とコネクタ３の連結は、バンド部６をコネクタ３の下端のバンド孔６４に通して、余りのバンド部６と元のバンド部６をバックル６５に通して係止しても良い。
【００５７】更に、バンド部６を分割して、着脱自在なカプラで連結しても良い。また、ストラップ接続部１６は携帯電話機１により、様々な位置に数箇所備えられているので、係着に都合の良い位置に係止する。
【００５８】また、前記バンド部６は、材料に化学繊維、合成樹脂またはネオプレーンゴムを用いる。
【００５９】（実施の形態４の作用）以下に前記実施の形態１の作用に対し、相違のある点について説明する。先ず、図４に示すように、あらゆる携帯電話機１に対して、前記コネクタ３と任意のストラップ接続部１６間に柔軟性のある係着空間５を構成することが出来る。よって、携帯電話機１の背面や折り畳み式携帯電話機１の２辺間等の任意の係着空間５に、携帯電話機１を軽量で一体感のある係着をすることが出来る。
【００６０】また、携帯電話機１の着脱は、前記コネクタ３を着脱しても、前記カプラやバックル７５を着脱しても行なうことが出来る。
【００６１】（実施の形態５）図５は本発明の実施の形態５による携帯電話機係着ホルダーの例を示す図である。図５（ａ）は正面図、図５（ｂ）は図５（ａ）の使用例説明図を示す。尚、本携帯電話機係着ホルダー以外の物は２点鎖線で図示する。
【００６２】以下に前記実施の形態１に対し、相違のある点について説明する。図５に示すように、実施の形態５の携帯電話機係着ホルダーは、前記係着手段が、バンド部６をシート状の柔軟性部材で形成して、バンド部６の一端をコネクタ３の下端に連結し、他端を面ファスナー６６により前記バンド部６と携帯電話機１間もしくはバンド部６同士間を係止して構成される。
【００６３】次に、前記バンド部６に有機ＥＬディスプレイパネルから成る表示装置６７を設けると共に、前記外部接続端子２から前記表示装置６７の表示用電源、または携帯電話機１内の表示情報の少なくともどちらかが表示装置６７に供給されるように、前記コネクタ３と表示装置６７間に電気配線６８、または制御用ＩＣチップの少なくともどちらかを設ける。
【００６４】また、前記バンド部６は、材料に化学繊維、合成樹脂またはネオプレーンゴムを用い、素材色を透明または半透明にしても良い。
【００６５】（実施の形態５の作用）以下に前記実施の形態１の作用に対し、相違のある点について説明する。先ず、図５に示すように、あらゆる携帯電話機１に対して、前記バンド部６と携帯電話機１間もしくはバンド部６同士間を係止することが出来る。よって、携帯電話機１の背面や折り畳み式携帯電話機１の２辺間等の任意の係着空間５に柔軟性をもって、携帯電話機１を軽量でコンパクトに係着することが出来る。
【００６６】そして、図５（ａ）に示すように、携帯電話機１の外周をネオプレーンゴム等から成るバンド部６で被覆するように、携帯電話機１を腕や物５１に係着することにより、携帯電話機１を衝撃や風雨から守ることが出来る。
【００６７】次に、図５（ｂ）に示すように、バンド部６に有機ＥＬディスプレイパネルから成る表示装置６７を設けることにより、前記バンド部６の柔軟性のある係着機能を損なうこと無く、バンド部６の表面積と視認性の高さ、および外部接続端子２を活かして、携帯時に見たい任意の画像を表示装置６７に表示することが出来る。ここで、前記バンド部６を、前記回動軸６１上に携帯電話機１の下端で回動すことにより、表示装置６７の画像を全方向に向けて表示することが出来る。よって、例えば、携帯電話機１のカメラ撮影の前後に視認するファインダー画像を、前記表示装置６７に表示するようにすれば、折り畳み式携帯電話機１を開かないまま、カメラの向きに関わらず、ファインダー画像を見たい人に向けて見せながら写真を撮影をすることが出来て便利である。
【００６８】また、前記バンド部６の素材色を透明または半透明にすることにより、本ホルダーで携帯電話機１を係着しても、携帯電話機１の表示装置等を透視することが出来る。
【００６９】更に、携帯電話機１の着脱は、前記面ファスナー６６、またはコネクタ３の着脱で行なうことが出来る。
【００７０】更に、図５（ｂ）に示すように、前記バンド部６を携帯電話機１に巻かずにバンド部６同士間を前記面ファスナー６６で係止することにより、着脱自在な回転ストラップとして使用することが出来る。
【発明の効果】以上の作用をまとめると、本発明は下記の効果を得ることが出来る。
（イ）折り畳み式携帯電話機の２辺間や折り畳んだ面に構成する係着空間にセットした腕や物（鞄、バッグの取っ手等）に携帯電話機を頑強且つコンパクトに係着することが出来る。
（ロ）携帯電話機の着脱は、素早く容易に行なうことが出来る。
（ハ）外部接続端子を活用すると共にコネクタで被覆することにより、外部接続端子の機能低下を抑制することが出来る。
（ニ）ホルダーが、携帯電話機の表示装置やカメラ、アンテナ等を覆い隠さないため、携帯電話機の機能を損なうことがない。
（ホ）ホルダーの回動により、ホルダーに携帯電話機の両面係着、握持グリップ、スタンド、集音、回転ストラップ等の機能を付加することが出来るため、便利である。
（ヘ）折り畳み式でない携帯電話機（初期型および最新の回転式）も、複数の係着空間に一体感のあるコンパクトな係着をすることが出来る。
（ト）バンド部に表示装置を設けることにより、バンド部の表面積と視認性の高さ、および外部接続端子を活かして、携帯時に見たい任意の画像を表示装置に表示することが出来る。
（チ）バンド部と当接部が、材料に合成樹脂、ゴム、金属、木、または繊維材料のいずれかを用いて、シート状、線状、格子状のいずれかの部材を立体形成して構成することにより、上記の構成と作用を満たす携帯電話機係着ホルダーを、現実的に安価に作成することが出来る。
（リ）以上より、携帯電話機を人や物に頑強に且つコンパクトに係着可能な携帯電話機係着ホルダーを作成することが出来るため、携帯電話機を落としたり、紛失したり、在り処を捜すのに時間をかけたり、着信に気付かず機会を逃したり、周囲に迷惑をかけたりすることが無くなる。
【図面の簡単な説明】
【図１】本発明による（実施の形態１）を示す図で、図１（ａ）は正面図、図１（ｂ）は図１（ａ）の左側面図、図１（ｃ）と図１（ｄ）は図１（ａ）の使用
例説明図である。
【図２】本発明による（実施の形態２）を示す図で、図２（ａ）は正面図、図２（ｂ）は図２（ａ）の左側面図、図２（ｃ）と図２（ｄ）は図２（ａ）の使用
例説明図である。
【図３】本発明による（実施の形態３）を示す図で、図３（ａ）は正面図、図３（ｂ）は図３（ａ）の右側面図、図３（ｃ）は図３（ａ）の使用例説明図である。
【図４】本発明による（実施の形態４）を示す図で、図４（ａ）は正面図、図４（ｂ）は図４（ａ）の右側面図である。
【図５】本発明による（実施の形態５）を示す図で、図５（ａ）は正面図、図５（ｂ）は図５（ａ）の使用例説明図である。
【符号の説明】
１    携帯電話機
１１  下分割部
１２  上分割部
１３  背面
１４  マイク部
１５  蝶番部
１６  ストラップ接続部
２    外部接続端子
３    コネクタ
３１  嵌合部
３２  押圧部
３３  突起部
４    当接部
４１  緊縮力
４２  屈曲部
４３  紐状部材
５    係着空間
５１  腕や物
６    バンド部
６１  回動軸
６２  回転軸
６３  弾性体
６４  バンド孔
６５  バックル
６６  面ファスナー
６７  表示装置
６８  電気配線
７    手
７１  指
８    ポケット
９    口
【図１】
2004350254.tif 000003
【図２】
2004350254.tif 000004
【図３】
2004350254.tif 000005
【図４】
2004350254.tif 000006
【図５】
2004350254.tif 000007